(57)【要約】【課題】非接触で充電を行いつつ、給電装置に接続された外部装置を操作することができる電子装置、非接触で充電が行われる電子装置から給電装置に接続された外部装置を操作することができる給電システムを提供する。【解決手段】パソコン８０が接続された状態で電池６０に対する充電用の電力を非接触で給電する給電装置７０における予め定められた充電位置に装置本体が配置されているとき、予め定められた処理の実行を指示する指示情報を給電装置７０を介してパソコン８０に送信する。【選択図】図１
2009232508.tif 000002
【特許請求の範囲】
【請求項１】
充電可能に構成され、駆動対象部位に対して駆動用の電力を供給する電池と、
予め定められた処理が実行可能とされた外部装置が接続された状態で前記電池に対する充電用の電力を非接触で給電する給電装置における予め定められた充電位置に装置本体が配置されたとき、前記給電装置から前記充電用の電力を受電する受電手段と、
前記充電位置に装置本体が配置されているとき、前記予め定められた処理の実行を指示する指示情報を前記給電装置を介して前記外部装置に送信する送信手段と、
を備えた電子装置。
【請求項２】
前記指示情報を前記外部装置に送信する際に操作される操作手段を更に備え、
前記送信手段は、前記充電位置に装置本体が配置されているとき、前記操作手段が操作された場合に前記指示情報を前記給電装置を介して前記外部装置に送信する
請求項１記載の電子装置。
【請求項３】
前記指示情報は、前記給電装置による充電モードを切替える処理の実行を指示する充電モード指示情報を含む
請求項１又は請求項２記載の電子装置。
【請求項４】
前記指示情報は、前記外部装置により当該指示情報に応じた処理の実行結果を示す情報を音声で出力する処理の実行を指示する音声出力指示情報を含む
請求項１〜請求項３の何れか１項記載の電子装置。
【請求項５】
前記指示情報は、前記外部装置により当該指示情報に応じた処理の実行結果を示す情報を表示する処理の実行を指示する表示指示情報を含む
請求項１〜請求項４の何れか１項記載の電子装置。
【請求項６】
予め定められた情報を記憶する記憶手段を更に備え、
前記送信手段は、前記指示情報と共に前記記憶手段に記憶されている前記予め定められた情報を前記給電装置を介して前記外部装置に送信するか、又は、前記指示情報に代えて前記記憶手段に記憶されている前記予め定められた情報を前記給電装置を介して前記外部装置に送信する
請求項１〜請求項５の何れか１項記載の電子装置。
【請求項７】
前記受電手段は、前記給電装置から電磁誘導により前記充電用の電力を受電するものであり、
前記送信手段は、前記受電手段を用いて電磁誘導により送信対象となる情報を前記給電装置を介して前記外部装置に送信する
請求項１〜請求項６の何れか１項記載の電子装置。
【請求項８】
前記充電位置に装置本体が配置されているとき、前記給電装置を介して前記外部装置から送信される当該電子装置に対する所定処理の実行を指示する第２の指示情報を受信する受信手段
を更に備えた請求項１〜請求項７の何れか１項記載の電子装置。
【請求項９】
請求項１〜請求項７の何れか１項記載の電子装置と、
前記電子装置に備えられた電池を充電するための電力を非接触で送電する送電手段、前記電子装置から送信された情報を受信する給電装置受信手段、及び前記給電装置受信手段によって受信された情報を送信する給電装置送信手段を備えた給電装置と、
前記給電装置送信手段によって送信された情報を受信する外部装置受信手段、及び前記外部装置受信手段により受信された情報に応じた処理を実行する処理実行手段を備えた外部装置と、
を有する給電システム。
【発明の詳細な説明】
【技術分野】
【０００１】
本発明は、電子装置及び給電システムに係り、特に、給電装置に対して非接触で充電できる電子装置、及び当該電子装置に充電用の電力を給電するための給電システムに関する。
【背景技術】
【０００２】
従来、携帯電話機、デジタルスチルカメラ、電動歯ブラシ等の電子装置を非接触で充電する技術がある（例えば、特許文献１、特許文献２、特許文献３参照。）。このように、非接触で充電することにより、接触不良による故障などを気にすることなく、ユーザは電子装置の充電を行うことができる。
【特許文献１】特開平７−１４６１５号公報
【特許文献２】特開２００４−１６６４５９号公報
【特許文献３】特開２００６−３５３０４２号公報
【発明の開示】
【発明が解決しようとする課題】
【０００３】
しかしながら、上記特許文献１及び特許文献２に開示されている技術は、電磁誘導を利用して非接触で充電するもので、特許文献３に開示されている技術は、非接触で充電しながら認証を行うものであり、何れの技術も外部装置から給電装置を介して電子装置の充電を行なう構成については想定されていないため、非接触で充電しながら、電子装置から上記外部装置を操作することができない、という問題点があった。
【０００４】
本発明は上記問題点を解決するためになされたものであり、非接触で充電を行いつつ、給電装置に接続された外部装置を操作することができる電子装置、及び非接触で充電が行われる電子装置から給電装置に接続された外部装置を操作することができる給電システムを提供することを目的とする。
【課題を解決するための手段】
【０００５】
上記目的を達成するために、請求項１に記載の電子装置は、充電可能に構成され、駆動対象部位に対して駆動用の電力を供給する電池と、予め定められた処理が実行可能とされた外部装置が接続された状態で前記電池に対する充電用の電力を非接触で給電する給電装置における予め定められた充電位置に装置本体が配置されているとき、前記給電装置から前記充電用の電力を受電する受電手段と、前記充電位置に装置本体が配置されたとき、前記予め定められた処理の実行を指示する指示情報を前記給電装置を介して前記外部装置に送信する送信手段と、を備えている。
【０００６】
請求項１に記載の発明によれば、充電可能に構成された電池により、駆動対象部位に対して駆動用の電力が供給される。なお、上記電池には、リチウム・イオン電池、ニッケル水素電池、ニッケル・カドミウム電池、リチウム・ポリマー電池等の各種２次電池が含まれる。
【０００７】
また、本発明では、予め定められた処理が実行可能とされた外部装置が接続された状態で前記電池に対する充電用の電力を非接触で給電する給電装置における予め定められた充電位置に装置本体が設置されたとき、受電手段により、前記給電装置から前記充電用の電力が受電される。
【０００８】
そして、本発明では、前記充電位置に装置本体が配置されているとき、送信手段により、前記予め定められた処理の実行を指示する指示情報が前記給電装置を介して前記外部装置に送信される。
【０００９】
このように、請求項１に記載の発明によれば、外部装置が接続された状態で電池に対する充電用の電力を非接触で給電する給電装置における予め定められた充電位置に装置本体が配置されているとき、予め定められた処理の実行を指示する指示情報を前記給電装置を介して前記外部装置に送信するので、非接触で充電を行いつつ、給電装置に接続された外部装置を操作することができる。
【００１０】
なお、本発明は、請求項２に記載の発明のように、前記指示情報を前記外部装置に送信する際に操作される操作手段を更に備え、前記送信手段が、前記充電位置に装置本体が配置されているとき、前記操作手段が操作された場合に前記指示情報を前記給電装置を介して前記外部装置に送信するようにしてもよい。これにより、指示情報を送信するタイミングを任意とすることができる。
【００１１】
また、本発明は、請求項３に記載の発明のように、前記指示情報が、前記給電装置による充電モードを切替える処理の実行を指示する充電モード指示情報を含むようにしてもよい。これにより、充電モードを所望のモードに切替えることができる。
【００１２】
また、本発明は、請求項４に記載の発明のように、前記指示情報が、前記外部装置により当該指示情報に応じた処理の実行結果を示す情報を音声で出力する処理の実行を指示する音声出力指示情報を含むようにしてもよい。これにより、指示情報に応じた処理の実行結果を音声により確認することができ、ユーザによっての利便性を向上させることができる。
【００１３】
また、本発明は、請求項５に記載の発明のように、前記指示情報が、前記外部装置により当該指示情報に応じた処理の実行結果を示す情報を表示する処理の実行を指示する表示指示情報を含むようにしてもよい。これにより、指示情報に応じた処理の実行結果を視覚的に容易に確認することができ、ユーザにとっての利便性を向上させることができる。なお、上記表示には、画像表示装置による可視表示の他、画像形成装置による永久可視表示が含まれる。
【００１４】
また、本発明は、請求項６に記載の発明のように、予め定められた情報を記憶する記憶手段を更に備え、前記送信手段が、前記指示情報と共に前記記憶手段に記憶されている前記予め定められた情報を前記給電装置を介して前記外部装置に送信するか、又は、前記指示情報に代えて前記記憶手段に記憶されている前記予め定められた情報を前記給電装置を介して前記外部装置に送信するようにしてもよい。これにより、指示情報に限らず、画像情報、音声情報、ログ情報等の他の情報も送信することができるので、ユーザにとっての利便性を向上させることができる。なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、ｘＤピクチャカード（登録商標）、フレキシブルディスク等の可搬記録媒体やハードディスク等の固定記録媒体等が含まれる。
【００１５】
また、本発明は、請求項７に記載の発明のように、前記受電手段が、前記給電装置から電磁誘導により前記充電用の電力を受電するものであり、前記送信手段が、前記受電手段を用いて電磁誘導により送信対象となる情報を前記給電装置を介して前記外部装置に送信するようにしてもよい。これにより、送信対象とする情報を送信するための手段を新たに設けることなく当該情報を送信することができるので、装置の大型化を招くことなく、かつ低コストで本発明を実施することができる。
【００１６】
さらに、本発明は、請求項８に記載の発明のように、前記充電位置に装置本体が配置されているとき、前記給電装置を介して前記外部装置から送信される当該電子装置に対する所定処理の実行を指示する第２の指示情報を受信する受信手段を更に備えてもよい。これにより、外部装置から電子装置を操作することもできるので、ユーザにとっての利便性を更に向上させることができる。
【００１７】
一方、上記目的を達成するために、請求項９に記載の給電システムは、請求項１〜請求項７の何れか１項記載の電子装置と、前記電子装置に備えられた電池を充電するための電力を非接触で送電する送電手段、前記電子装置から送信された情報を受信する給電装置受信手段、及び前記給電装置受信手段によって受信された情報を送信する給電装置送信手段を備えた給電装置と、前記給電装置送信手段によって送信された情報を受信する外部装置受信手段、及び前記外部装置受信手段により受信された情報に応じた処理を実行する処理実行手段を備えた外部装置と、を有するものである。
【００１８】
請求項９記載の発明によれば、給電装置により、送電手段によって請求項１〜請求項７の何れか1項記載の電子装置に備えられた電池を充電するための電力が非接触で送電され、給電装置受信手段によって前記電子装置から送信された情報が受信され、給電装置送信手段によって前記給電装置受信手段から受信された情報が送信される。
【００１９】
また、本発明では、外部装置により、外部装置受信手段によって前記給電装置送信手段により送信された情報が受信され、処理実行手段によって前記外部装置受信手段により受信された情報に応じた処理が実行される。
【００２０】
このように、請求項９に記載の発明によれば、請求項１〜請求項７の何れか１項記載の電子装置を有すると共に、給電装置により前記電子装置から送信された情報を受信して送信する一方、外部装置により、前記給電装置によって送信された情報を受信して当該情報に応じた処理を実行しているので、非接触で充電が行われる電子装置から給電装置に接続された外部装置を操作することができる。
【発明の効果】
【００２１】
本発明の電子装置によれば、外部装置が接続された状態で電池に対する充電用の電力を非接触で給電する給電装置における予め定められた充電位置に装置本体が配置されたとき、予め定められた処理の実行を指示する指示情報を前記給電装置を介して前記外部装置に送信するので、非接触で充電を行いつつ、給電装置に接続された外部装置を操作することができる、という効果が得られる。
【００２２】
また、本発明の給電システムによれば、請求項１〜請求項７の何れか１項記載の電子装置を有すると共に、給電装置により前記電子装置から送信された情報を受信して送信する一方、外部装置により、前記給電装置によって送信された情報を受信して当該情報に応じた処理を実行しているので、非接触で充電が行われる電子装置から給電装置に接続された外部装置を操作することができる、という効果が得られる。
【発明を実施するための最良の形態】
【００２３】
以下、図面を参照して、本発明の実施の形態について詳細に説明する。なお、本実施の形態では、本発明を、デジタルスチルカメラ（以下、単に「デジタルカメラ」という。）をパーソナルコンピュータ（以下、単に「パソコン」という。）が接続された給電装置によって充電する給電システムに適用した場合について説明する。
【００２４】
まず、図１を参照して、本実施の形態に係る給電システム９０の構成を説明する。
【００２５】
図１に示すように、本実施の形態に係る給電システム９０は、デジタルカメラ１０、給電装置７０、及びパソコン８０を有している。
【００２６】
同図に示すように、パソコン８０は、給電装置７０と電気的に接続されており、デジタルカメラ１０は、パソコン８０からの制御に応じて、給電装置７０により非接触で充電可能とされている。
【００２７】
ここで、本実施の形態に係るデジタルカメラ１０は、パソコン８０で実行可能とされている予め定められた処理の実行を指示する指示情報を給電装置７０を介してパソコン８０に送信可能とされている。
【００２８】
なお、パソコン８０には、照明器具３０２Ａ及びオーディオ機器３０２Ｂが電気的に接続されている。
【００２９】
次に、本実施の形態に係るデジタルカメラ１０の構成について説明する。
【００３０】
まず、図２を参照して、本実施の形態に係るデジタルカメラ１０の外観上の構成を説明する。
【００３１】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００３２】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３３】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３４】
また、モード切替スイッチ５６Ｃは、撮影を行うモードである撮影モード、及び撮影によって得られたデジタル画像データにより示される被写体像を後述するＬＣＤ３８に再生
（表示）するモードである再生モードの何れかのモードに設定する際に回転操作される。
【００３５】
一方、デジタルカメラ１０の背面には、前述のファインダ２０の接眼部と、撮影された被写体像やメニュー画面等を表示する液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００３６】
更に、デジタルカメラ１０の背面には、ＬＣＤ３８にメニュー画面を表示させるときに押圧操作されるメニュースイッチと、それまでの操作内容を確定するときに押圧操作される決定スイッチ５６Ｅと、直前の操作内容をキャンセルするときに押圧操作されるキャンセルスイッチとが備えられている。
【００３７】
次に、図３を参照して、本実施の形態に係るデジタルカメラ１０の電気系の要部構成を説明する。
【００３８】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３９】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００４０】
なお、デジタル信号処理部３０は、所定容量のラインバッファを内蔵し、入力されたデジタルデータを後述するメモリ４８の所定領域に直接記憶させる制御も行う。
【００４１】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４２】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮像により得られたデジタル画像データ等を一時的に記憶するメモリ４８と、メモリ４８に対するアクセスの制御を行うメモリインタフェース４６と、を含んで構成されている。
【００４３】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４４】
なお、本実施の形態のデジタルカメラ１０では、メモリ４８としてフラッシュ・メモリ（Flash Memory）が用いられ、メモリカード５２としてｘＤピクチャカード（登録商標）が用いられている。
【００４５】
デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００４６】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４７】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４８】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４９】
更に、前述のレリーズスイッチ５６Ａ、電源スイッチ５６Ｂ、モード切替スイッチ５６Ｃ、十字カーソルスイッチ５６Ｄ、決定スイッチ５６Ｅ等の各種スイッチ（同図では、「操作部５６」と総称。）はＣＰＵ４０に接続されており、ＣＰＵ４０は、これらの操作部５６に対する操作状態を常時把握できる。
【００５０】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００５１】
更に、デジタルカメラ１０は、電力によって駆動する部位に対して当該駆動用の電力を供給する、充電可能に構成された電池６０が着脱可能に構成されている。なお、本実施の形態に係るデジタルカメラ１０では、電池６０としてリチウム・イオン電池を適用しているが、これに限らず、ニッケル水素電池、ニッケル・カドミウム電池等の他の二次電池を適用することもできることは言うまでもない。
【００５２】
ここで、デジタルカメラ１０には、電池６０を充電するための電力を外部から非接触で受電する受電部５８が備えられている。なお、本実施の形態に係る受電部５８にはコイル（図示省略。）が内蔵されており、当該コイルに対する外部からの電磁誘導により生じる電力により電池６０を充電する。
【００５３】
この受電部５８もまたＣＰＵ４０に接続されており、電池６０の充電動作もＣＰＵ４０によって制御される。
【００５４】
次に、本実施の形態に係る給電装置７０の構成を説明する。なお、給電装置７０の外観上の構成は図６に示されるように略直方体状であり、特に複雑な構成ではないので、ここでの説明は省略し、以下、図４を参照して、電気系の要部構成を説明する。
【００５５】
同図に示すように、本実施の形態に係る給電装置７０は、給電装置７０全体の動作を司るＣＰＵ７０Ａと、ＣＰＵ７０Ａによる各種処理プログラムの実行時のワークエリア等として用いられるＲＡＭ７０Ｂと、各種制御プログラムや各種パラメータ等が予め記憶されたＲＯＭ７０Ｃと、デジタルカメラ１０に給電を行うために用いられる送電部７０Ｄと、音声を再生するために用いられるスピーカ７０Ｅと、各種情報を表示するために用いられるディスプレイ７０Ｆと、外部装置との間の所定の通信規格（例えば、ＵＳＢ（Universal Serial Bus）、ＩＥＥＥ１３９４等）による通信を司る外部インタフェース７０Ｇと、が備えられており、これら各部はシステムバスＢＵＳ２により電気的に相互に接続されている。
【００５６】
従って、ＣＰＵ７０Ａは、ＲＡＭ７０Ｂ、及びＲＯＭ７０Ｃに対するアクセス、送電部７０Ｄを介したデジタルカメラ１０への給電、スピーカ７０Ｅを介した音声の再生、ディスプレイ７０Ｆに対する各種情報の表示、及び外部インタフェース７０Ｇに接続された外部装置との間の各種情報の授受を各々行うことができる。本実施の形態に係る給電システム９０では、外部インタフェース７０Ｇにパソコン８０が接続されている。従って、ＣＰＵ７０Ａは、パソコン８０との間の各種情報の授受を行うことができる。
【００５７】
ここで、送電部７０Ｄは、デジタルカメラ１０に設けられた受電部５８に対応して設けられたものであり、受電部５８に内蔵されたコイルに対して電磁誘導により電力を生じさせるためのコイル（図示省略。）が内蔵されている。
【００５８】
次に、本実施の形態に係るパソコン８０の構成を説明する。なお、パソコン８０の外観上の構成は一般的なものであるので、ここでの説明は省略し、以下、図５を参照して、電気系の要部構成を説明する。
【００５９】
同図に示すように、本実施の形態に係るパソコン８０は、パソコン８０全体の動作を司るＣＰＵ８０Ａと、ＣＰＵ８０Ａによる各種処理プログラムの実行時のワークエリア等として用いられるＲＡＭ８０Ｂと、各種制御プログラムや各種パラメータ等が予め記憶されたＲＯＭ８０Ｃと、各種情報を記憶するために用いられるハードディスク８０Ｄと、各種情報を入力するために用いられるキーボード８０Ｅと、各種情報を表示するために用いられるディスプレイ８０Ｆと、外部装置との間の所定の通信規格（例えば、ＵＳＢ、ＩＥＥＥ１３９４等）による通信を司る外部インタフェース８０Ｇと、が備えられており、これら各部はシステムバスＢＵＳ３により電気的に相互に接続されている。
【００６０】
従って、ＣＰＵ８０Ａは、ＲＡＭ８０Ｂ、ＲＯＭ８０Ｃ、及びハードディスク８０Ｄに対するアクセス、キーボード８０Ｅを介した各種入力情報の取得、ディスプレイ８０Ｆに対する各種情報の表示、及び外部インタフェース８０Ｇに接続された外部装置との間の各種情報の授受を各々行うことができる。本実施の形態に係る給電システム９０では、外部インタフェース８０Ｇに給電装置７０、照明器具３０２Ａ、及びオーディオ機器３０２Ｂが接続されている。従って、ＣＰＵ８０Ａは、給電装置７０との間の各種情報の授受を行うことができる一方、照明器具３０２Ａやオーディオ機器３０２Ｂに対して予め定められた操作を行うことができる。
【００６１】
次に、図６を参照して、充電を行う際のデジタルカメラ１０と給電装置７０の位置関係を説明する。
【００６２】
同図（Ａ）に示すように、本実施の形態に係る給電装置７０の上面には、デジタルカメラ１０の電池６０への充電を行う際にデジタルカメラ１０を載置する領域である充電領域Ｊを示す破線が描画されている。
【００６３】
そして、当該充電を行う際には、同図（Ｂ）に示すように、デジタルカメラ１０を充電領域Ｊの内部に直立させた状態で載置する。
【００６４】
このため、デジタルカメラ１０の受電部５８は、デジタルカメラ１０の下端部近傍に設けられる一方、給電装置７０の送電部７０Ｄは、給電装置７０の上端部近傍で、かつ充電領域Ｊの略中央部に設けられている。
【００６５】
なお、同図（Ｂ）に示すように、前述したスピーカ７０Ｅ及びディスプレイ７０Ｆは、給電装置７０の側面に設けられている。
【００６６】
ところで、前述したように、本実施の形態に係る給電システム９０では、デジタルカメラ１０が、パソコン８０で実行可能とされている予め定められた処理の実行を指示する指示情報を給電装置７０を介してパソコン８０に送信可能とされている。これに対してパソコン８０は、受信した上記指示情報に応じた処理を実行する。
【００６７】
なお、本実施の形態に係る給電システム９０では、デジタルカメラ１０の所定スイッチをワンクリックするか、又はダブルクリックすることにより、当該スイッチの種類及びクリック状態に応じた処理をパソコン８０に実行させることができる。
【００６８】
このため、本実施の形態に係る給電システム９０では、上記指示情報として、ユーザによって操作されたスイッチの種類を示す情報（以下、「種類情報」という。）と、当該操作状態がワンクリックであったか、ダブルクリックであったかを示す情報（以下、「クリック状態情報」という。）の２つの情報を有するものとされている。
【００６９】
これに対し、パソコン８０のＲＯＭ８０Ｃの所定領域には、図７に模式的に示される処理対応情報が予め記憶されている。
【００７０】
同図に示すように、本実施の形態に係る処理対応情報は、「スイッチの種類」及び「処理内容」の各情報が含まれている。
【００７１】
上記スイッチの種類は、上記種類情報に対応するものであり、上記処理内容は、受信した指示情報に含まれる種類情報により示されるスイッチの種類と、当該指示情報に含まれるクリック状態情報により示されるクリックの状態とに対応して、実行すべき処理の内容を示す情報である。
【００７２】
例えば、受信した指示情報に含まれる種類情報により示されるスイッチの種類が十字カーソルスイッチ５６Ｄの上矢印キーであり、かつ当該指示情報に含まれるクリック状態情報により示されるクリックの状態がワンクリックであった場合、パソコン８０は、ＷＥＢブラウザの起動を実行する。また、例えば、受信した指示情報に含まれる種類情報により示されるスイッチの種類が十字カーソルスイッチ５６Ｄの下矢印キーであり、かつ当該指示情報に含まれるクリック状態情報により示されるクリックの状態がダブルクリックであった場合、パソコン８０は、ＷＥＢブラウザを終了した後、当該終了したことを給電装置７０に設けられたスピーカ７０Ｅにより音声にて発生させると共に、ディスプレイ７０Ｆにより表示させる。
【００７３】
一方、本実施の形態に係るデジタルカメラ１０には、電池６０が給電装置７０を介して充電されているとき、メモリカード５２に所定情報（本実施の形態では、撮影によって得られたデジタル画像データ）が記憶されている場合に、当該所定情報を、給電装置７０を介してパソコン８０に自動的にアップ・ロードする機能が搭載されている。
【００７４】
これに対し、パソコン８０は、給電装置７０を介して上記所定情報が受信された場合、当該情報をハードディスク８０Ｄの所定領域に記憶する。
【００７５】
ところで、本実施の形態に係る給電システム９０では、デジタルカメラ１０の電池６０への充電方法として、比較的長時間をかけて充電を行うことにより、電池６０に対する負担が比較的小さい通常充電モードと、当該通常充電モードより短時間で、高速に充電を行う急速充電モードの２種類の充電モードの何れか一方を選択的に適用することができる。
【００７６】
そして、デジタルカメラ１０は、電池６０の充電を行うに先立ち、選択された充電モードの種類を示す情報が含まれた指示情報を、給電装置７０を介してパソコン８０に送信する。
【００７７】
なお、本実施の形態に係る給電システム９０では、当該充電モードの選択を、ユーザにより所定のメニュー画面を介して行うものとされており、これによって選択された充電モードを示す情報がメモリ４８の所定領域に記憶される。なお、充電モードの設定方法は、これに限るものでないことは言うまでもない。
【００７８】
さらに、本実施の形態に係る給電システム９０では、給電装置７０を介して充電中のデジタルカメラ１０に対し、パソコン８０から、デジタルカメラ１０に対する所定処理の実行を指示する指示情報を、給電装置７０を介して送信することができる。
【００７９】
なお、本実施の形態に係る給電システム９０では、上記所定処理として、デジタルカメラ１０のＬＣＤ３８により所定情報を表示させる処理を適用しているが、これに限らず、動作モードを設定する処理、メモリカード５２に記憶された情報を消去させる処理、電源スイッチ５６Ｂをオフさせる処理等、他の処理を適用してもよいことは言うまでもない。
【００８０】
また、本実施の形態に係る給電システム９０では、デジタルカメラ１０に対する上記所定処理の実行を指示する指示情報の送信の指示入力を、キーボード８０Ｅを介して行うものとされているが、これに限らず、音声により行う形態や、予め定められた当該指示情報をデジタルカメラ１０が給電装置７０に載置されたときに自動的に送信する形態等、他の形態とすることもできることも言うまでもない。
【００８１】
以下では、上記種類情報及び上記クリック状態情報を含む指示情報を「第１指示情報」と称し、上記充電モードの種類を示す情報を含む指示情報を「第２指示情報」と称し、上記デジタルカメラ１０に対する所定処理の実行を指示する指示情報を「第３指示情報」と称する。
【００８２】
本実施の形態に係る給電システム９０では、上記第１指示情報、上記第２指示情報、上記第３指示情報、及び上記所定情報（本実施の形態では、デジタル画像データ）が、デジタルカメラ１０の受電部５８及び給電装置７０の送電部７０Ｄを介して、当該受電部５８及び送電部７０Ｄの各々に設けられている不図示のコイルを介した電磁誘導により送受信される。この際、これらの情報の送受信のタイミングが、充電のタイミングと重なる場合には、充電動作を一時中断して、対応する情報の送受信を行うものとしている。
【００８３】
次に、本実施の形態に係る給電システム９０の作用を説明する。
【００８４】
まず、図８を参照して、デジタルカメラ１０が給電装置７０を介して充電されている際の当該デジタルカメラ１０の作用を説明する。なお、図８は、デジタルカメラ１０の受電部５８からの電力の供給が開始された際にデジタルカメラ１０のＣＰＵ４０により実行される充電時処理プログラムの処理の流れを示すフローチャートであり、当該プログラムはメモリ４８の所定領域に予め記憶されている。また、以下では、錯綜を回避するため、デジタルカメラ１０の電池６０を充電するためにデジタルカメラ１０、給電装置７０、及びパソコン８０において実行される処理については説明を省略し、本発明に特に関係する処理のみについて説明する。
【００８５】
まず、ステップ１００では、この時点で選択されている充電モードを示す情報をメモリ４８から読み出し、次のステップ１０２では、読み出した充電モードの種類を示す情報を有する前述した第２指示情報を作成し、次のステップ１０４にて、作成した第２指示情報を給電装置７０に送信する。
【００８６】
次のステップ１０６では、メモリ４８に前述した所定情報（本実施の形態では、デジタル画像データ）が記憶されているか否かを判定し、肯定判定となった場合はステップ１０８に移行して、当該所定情報を給電装置７０に送信し、その後にステップ１１０に移行する。これに対し、上記ステップ１０６において否定判定となった場合には、上記ステップ１０８の処理を実行することなくステップ１１０に移行する。
【００８７】
ステップ１１０では、上記処理対応情報（図７も参照。）に含まれる何れかのスイッチが操作されたか否かを判定し、肯定判定となった場合はステップ１１２に移行して、当該操作状態に応じた前述した第１指示情報を作成し、次のステップ１１４にて、作成した第１指示情報を給電装置７０に送信し、その後にステップ１１６に移行する。これに対し、上記ステップ１１０において否定判定となった場合には、上記ステップ１１２及びステップ１１４の処理を実行することなくステップ１１６に移行する。
【００８８】
このように、本実施の形態に係る給電システム９０では、処理対応情報に含まれる何れかのスイッチが操作された場合に第１指示情報を送信するものとされているため、デジタルカメラ１０のメモリ４８には、当該スイッチを特定することのできる情報が予め記憶されており、上記ステップ１１０では、当該情報によって特定される何れかのスイッチが操作されたか否かを判定するようにしている。
【００８９】
ステップ１１６では、前述した第３指示情報を給電装置７０から受信したか否かを判定し、肯定判定となった場合はステップ１１８に移行して、受信した第３指示情報により示される処理を実行した後、ステップ１２０に移行する。これに対し、上記ステップ１１６において否定判定となった場合には、上記ステップ１１８の処理を実行することなくステップ１２０に移行する。
【００９０】
ステップ１２０では、デジタルカメラ１０の装置本体が充電領域Ｊから離脱したか否かを判定し、否定判定となった場合は上記ステップ１１０に戻る一方、肯定判定となった時点で本充電時処理プログラムを終了する。なお、上記ステップ１２０における装置本体が充電領域Ｊから離脱したか否かの判定は、受電部５８からの電力供給が停止されたか否かを判定することにより行うことができる。
【００９１】
次に、図９を参照して、デジタルカメラ１０が給電装置７０を介して充電されている際の当該給電装置７０の作用を説明する。なお、図９は、給電装置７０の送電部７０Ｄからの電力の供給が開始された際に給電装置７０のＣＰＵ７０Ａにより実行される給電時処理プログラムの処理の流れを示すフローチャートであり、当該プログラムはＲＯＭ７０Ｃの所定領域に予め記憶されている。
【００９２】
まず、ステップ２００では、デジタルカメラ１０から上記所定情報を受信したか否かを判定し、肯定判定となった場合はステップ２０２に移行して、受信した所定情報をパソコン８０に送信した後、ステップ２１２に移行する。
【００９３】
一方、上記ステップ２００において否定判定となった場合にはステップ２０４に移行し、デジタルカメラ１０から上記第１指示情報又は第２指示情報を受信したか否かを判定して、肯定判定となった場合はステップ２０６に移行し、受信した指示情報（第１指示情報又は第２指示情報）をパソコン８０に送信した後、ステップ２１２に移行する。
【００９４】
一方、上記ステップ２０４において否定判定となった場合にはステップ２０８に移行し、パソコン８０から上記第３指示情報を受信したか否かを判定して、肯定判定となった場合はステップ２１０に移行し、受信した第３指示情報をデジタルカメラ１０に送信した後、ステップ２１２に移行する。なお、上記ステップ２０８において否定判定となった場合には、上記ステップ２１０の処理を実行することなくステップ２１２に移行する。
【００９５】
ステップ２１２では、デジタルカメラ１０の装置本体が充電領域Ｊから離脱したか否かを判定し、否定判定となった場合は上記ステップ２００に戻る一方、肯定判定となった時点で本給電時処理プログラムを終了する。なお、上記ステップ２１２におけるデジタルカメラ１０の装置本体が充電領域Ｊから離脱したか否かの判定は、送電部７０Ｄからの電力供給が停止されたか否かを判定することにより行うことができる。
【００９６】
次に、図１０を参照して、デジタルカメラ１０が給電装置７０を介して充電されている際のパソコン８０の作用を説明する。なお、図１０は、給電装置７０の送電部７０Ｄからの電力の供給が開始された際にパソコン８０のＣＰＵ８０Ａにより実行される給電制御時処理プログラムの処理の流れを示すフローチャートであり、当該プログラムはＲＯＭ８０Ｃの所定領域に予め記憶されている。
【００９７】
まず、ステップ３００では、給電装置７０から何らかの情報を受信したか否かを判定し、肯定判定となった場合はステップ３０２に移行して、受信した指示情報が第１指示情報か、又は第２指示情報であったか否かを判定し、肯定判定となった場合にはステップ３０４に移行して、受信した指示情報に応じた処理を実行する。
【００９８】
ここで、第１指示情報を受信した場合には、処理対応情報（図７参照。）を参照して、当該第１指示情報により示されるスイッチの種類とクリック状態に対応する処理内容を特定し、特定した処理を実行する。
【００９９】
例えば、第１指示情報により示されるスイッチの種類が十字カーソルスイッチ５６Ｄにおける上矢印キーであり、クリック状態がダブルクリックであった場合、ＣＰＵ８０Ａは、予めインストールされているＷＥＢブラウザを起動した後、ＷＥＢブラウザを起動したことを示す音声をスピーカ７０Ｅにより発すると共に、ＷＥＢブラウザを起動したことを示す情報をディスプレイ７０Ｆにより表示するように給電装置７０を制御する。
【０１００】
また、例えば、第１指示情報により示されるスイッチの種類が決定スイッチであり、クリック状態がワンクリックであった場合、ＣＰＵ８０Ａは、オーディオ機器３０２Ｂの電源をオン状態とする一方、この場合には、給電装置７０におけるスピーカ７０Ｅ及びディスプレイ７０Ｆによる情報の提示は行わない。
【０１０１】
また、ここで、第２指示情報を受信した場合には、当該第２指示情報により示される充電モードでデジタルカメラ１０への充電を行うように給電装置７０を制御する。
【０１０２】
一方、上記ステップ３０２において否定判定となった場合には、給電装置７０から受信した情報が上記所定情報であったものと見なしてステップ３０６に移行し、当該所定情報をハードディスク８０Ｄの所定領域に記憶した後、ステップ３０８に移行する。
【０１０３】
ステップ３０８では、前述した所定処理の実行を指示する指示情報の送信の指示入力が行われたか否かを判定し、肯定判定となった場合はステップ３１０に移行し、当該指示入力に応じて前述した第３指示情報を作成した後、次のステップ３１２にて、作成した第３指示情報を給電装置７０に送信し、その後にステップ３１４に移行する。これに対し、上記ステップ３０８において否定判定となった場合には、上記ステップ３１０及びステップ３１２の処理を実行することなくステップ３１４に移行する。
【０１０４】
ステップ３１４では、デジタルカメラ１０の装置本体が充電領域Ｊから離脱したか否かを判定し、否定判定となった場合は上記ステップ３００に戻る一方、肯定判定となった時点で本給電制御時処理プログラムを終了する。なお、上記ステップ３１４におけるデジタルカメラ１０の装置本体が充電領域Ｊから離脱したか否かの判定は、給電装置７０における送電部７０Ｄからの電力供給が停止されたか否かを判定することにより行うことができる。
【０１０５】
図１１には、本実施の形態に係る給電システム９０における各種情報の授受の様子が示されている。
【０１０６】
同図に示すように、本給電システム９０では、デジタルカメラ１０が給電装置７０の充電領域Ｊに載置された際に、第２指示情報により充電モードをパソコン８０に指定した後、メモリ４８に上記所定情報が記憶されている場合には当該情報をパソコン８０にアップ・ロードする。
【０１０７】
また、充電動作の途中で、デジタルカメラ１０の所定のスイッチが操作された場合には、当該操作に応じた第１指示情報をパソコン８０に送信する。
【０１０８】
これに対し、パソコン８０では、第２指示情報が受信された場合には、当該第２指示情報により示される充電モードでデジタルカメラ１０への充電が行われるように給電装置７０を制御する一方、第１指示情報が受信された場合には、当該第１指示情報により示される処理を実行する。
【０１０９】
図１２（Ａ）には、第１指示情報により示される処理内容に、給電装置７０のディスプレイ７０Ｆにより処理結果を示す情報を表示する旨の処理が含まれている場合のディスプレイ７０Ｆによる表示状態の一例が示されている。同図に示す例では、上記処理結果を示す情報として、「ＷＥＢブラウザを起動しました。」との文字情報がディスプレイ７０Ｆにより表示されている。なお、図１１における「制御情報」は、当該文字情報の表示を行わせるための情報を示している。
【０１１０】
一方、デジタルカメラ１０の充電動作の途中で、パソコン８０において上記指示入力が行われた場合には、当該指示入力に応じた第３指示情報をデジタルカメラ１０に送信する。
【０１１１】
これに対し、デジタルカメラ１０では、第３指示情報が受信された場合には、当該第３指示情報により示される処理を実行する。
【０１１２】
図１２（Ｂ）には、第３指示情報により示される処理内容に、デジタルカメラ１０のＬＣＤ３８により処理結果を示す情報を表示させる処理が含まれている場合のＬＣＤ３８による表示状態の一例が示されている。同図に示す例では、上記処理結果を示す情報として、「ＷＥＢブラウザを起動しました。」との文字情報がＬＣＤ３８により表示されている。
【０１１３】
以上詳細に説明したように、本実施の形態に係る電子装置（ここでは、デジタルカメラ１０）では、外部装置（ここでは、パソコン８０）が接続された状態で電池（ここでは、電池６０）に対する充電用の電力を非接触で給電する給電装置（ここでは、給電装置７０）における予め定められた充電位置に装置本体が配置されているとき、予め定められた処理の実行を指示する指示情報（ここでは、第１指示情報及び第２指示情報）を前記給電装置を介して前記外部装置に送信するので、非接触で充電を行いつつ、給電装置に接続された外部装置を操作することができる。
【０１１４】
また、本実施の形態に係る電子装置では、前記指示情報（ここでは、第１指示情報）を前記外部装置に送信する際に操作される操作手段（ここでは操作部５６）を更に備え、前記充電位置に装置本体が配置されているとき、前記操作手段が操作された場合に前記指示情報を前記給電装置を介して前記外部装置に送信しているので、指示情報を送信するタイミングを任意とすることができる。
【０１１５】
また、本実施の形態に係る電子装置では、前記指示情報が、前記給電装置による充電モードを切替える処理の実行を指示する充電モード指示情報（ここでは、充電モードの種類を示す情報）を含んでいるので、充電モードを所望のモードに切替えることができる。
【０１１６】
また、本実施の形態に係る電子装置では、前記指示情報が、前記外部装置により当該指示情報に応じた処理の実行結果を示す情報を音声で出力する処理の実行を指示する指示情報を含んでいるので、指示情報に応じた処理の実行結果を音声により確認することができ、ユーザによっての利便性を向上させることができる。
【０１１７】
また、本実施の形態に係る電子装置では、前記指示情報が、前記外部装置により当該指示情報に応じた処理の実行結果を示す情報を表示する処理の実行を指示する指示情報を含んでいるので、指示情報に応じた処理の実行結果を視覚的に容易に確認することができ、ユーザにとっての利便性を向上させることができる。
【０１１８】
また、本実施の形態に係る電子装置では、前記指示情報と共に記憶手段（ここでは、メモリカード５２）に記憶されている予め定められた情報（ここでは、デジタル画像データ）を前記給電装置を介して前記外部装置に送信しているので、指示情報に限らず、画像情報等の他の情報も送信することができる結果、ユーザにとっての利便性を向上させることができる。
【０１１９】
また、本実施の形態に係る電子装置では、前記給電装置から電磁誘導により前記充電用の電力を受電し、電磁誘導により送信対象となる情報を前記給電装置を介して前記外部装置に送信しているので、送信対象とする情報を送信するための手段を新たに設けることなく当該情報を送信することができる結果、装置の大型化を招くことなく、かつ低コストで本発明を実施することができる。
【０１２０】
さらに、本実施の形態に係る電子装置では、前記充電位置に装置本体が配置されているとき、前記給電装置を介して前記外部装置から送信される当該電子装置に対する所定処理の実行を指示する第２の指示情報（ここでは、第３指示情報）を受信するので、外部装置から、電子装置を操作することもできる結果、ユーザにとっての利便性を更に向上させることができる。
【０１２１】
一方、本実施の形態に係る給電システム（ここでは、給電システム９０）では、以上のような電子装置を有すると共に、給電装置により前記電子装置から送信された情報を受信して送信する一方、外部装置により、前記給電装置によって送信された情報を受信して当該情報に応じた処理を実行しているので、非接触で充電が行われる電子装置から給電装置に接続された外部装置を操作することができる。
【０１２２】
なお、上記実施の形態では、デジタルカメラ１０の受電部５８及び給電装置７０の送電部７０Ｄを介して各種情報（第１指示情報、第２指示情報、第３指示情報、所定情報。）を授受する場合について説明したが、本発明はこれに限定されるものではなく、例えば、デジタルカメラ１０及び給電装置７０に対して、受電部５８及び送電部７０Ｄとは別に通信手段を設け、これを用いて上記各種情報を授受する形態とすることもできる。この場合、当該通信手段を追加することによるコストの上昇及び装置サイズの大型化を招くことになるが、充電動作とは独立して情報の授受を行うことができるため、充電動作の遅延を招くことなく、高速に情報の授受を行うことができる。なお、この場合の上記通信手段は、無線通信でも有線通信でもよいが、無線通信の方が、利便性の点で好ましい。
【０１２３】
また、上記実施の形態では、前記指示情報と共にメモリカード５２に記憶されているデジタル画像データを給電装置７０を介して外部装置８０に送信する場合について記載したが、本発明はこれに限定されるものではなく、前記指示情報に代えてメモリカード５２に記憶されているデジタル画像データを給電装置７０を介して外部装置８０に送信する形態とすることもできる。
【０１２４】
なお、上記実施の形態では、記憶手段としてメモリカード５２を適用した場合について説明したが、本発明はこれに限定されるものではなく、例えば、RAM、EEPROM等の半導体記憶素子、フレキシブルディスク等の可搬記録媒体やハードディスク等の固定記録媒体等を適用する形態とすることもできる。この場合、上記実施の形態と同様の効果を奏することができる。
【０１２５】
また、上記実施の形態に係る給電システム９０の構成は一例であり、本発明の主旨を逸脱しない範囲内において適宜変更可能であることは言うまでもない。
【０１２６】
また、上記実施の形態において説明した各種処理プログラムの処理の流れ（図８〜図１０参照。）も一例であり、本発明の主旨を逸脱しない範囲内において、各ステップの処理順序の変更、不要なステップの削除、新たなステップの追加等を行うことができることは言うまでもない。
【０１２７】
また、上記実施の形態では、本発明の電子装置をデジタルスチルカメラに適用した場合について説明したが、本発明は、デジタルビデオカメラ、携帯電話、ＰＤＡ等の非接触で充電可能な電子装置であれば如何なる装置も適用できることは言うまでもない。
【０１２８】
さらに、上記実施の形態では、本発明の外部装置をパソコンに適用した場合について説明したが、本発明は、ＰＤＡ、ワークステーション等の他の情報処理装置に適用してもよいことは言うまでもない。
【図面の簡単な説明】
【０１２９】
【図１】実施の形態に係る給電システムの全体構成を示すブロック図である。
【図２】実施の形態に係るデジタルカメラの外観を示す外観図である。
【図３】実施の形態に係るデジタルカメラの電気系の要部構成を示すブロック図である。
【図４】実施の形態に係る給電装置の電気系の要部構成を示すブロック図である。
【図５】実施の形態に係るパソコンの電気系の要部構成を示すブロック図である。
【図６】実施の形態に係るデジタルカメラと給電装置の充電を行なう際における位置関係を示す図であり、（Ａ）は平面図で、（Ｂ）は側面図である。
【図７】実施の形態に係る処理対応情報のデータ構造例を示す模式図である。
【図８】実施の形態に係る充電時処理プログラムの処理の流れを示すフローチャートである。
【図９】実施の形態に係る給電時処理プログラムの処理の流れを示すフローチャートである。
【図１０】実施の形態に係る給電制御時処理の流れを示すフローチャートである。
【図１１】実施の形態に係る各種情報の授受を示す模式図である。
【図１２】実施の形態に係る給電システムにおいて、指示情報による指示に応じた表示画面の一例を示す概略図である。
【符号の説明】
【０１３０】
１０  デジタルカメラ
３８  ＬＣＤ
４８  メモリ
５２  メモリカード（記憶手段）
５６  操作部（操作手段）
５８  受電部（受電手段、送信手段、受信手段）
６０  電池
７０  給電装置
７０Ｄ  送電部（送電手段、給電装置受信手段）
７０Ｅ  スピーカ
７０Ｆ  ディスプレイ
７０Ｇ  外部インタフェース（給電装置送信手段）
８０  パソコン
８０Ａ  ＣＰＵ（処理実行手段）
８０Ｇ  外部インタフェース（外部装置受信手段）
９０  給電システム
Ｊ    充電領域
【図１】
2009232508.tif 000003
【図２】
2009232508.tif 000004
【図３】
2009232508.tif 000005
【図４】
2009232508.tif 000006
【図５】
2009232508.tif 000007
【図６】
2009232508.tif 000008
【図７】
2009232508.tif 000009
【図８】
2009232508.tif 000010
【図９】
2009232508.tif 000011
【図１０】
2009232508.tif 000012
【図１１】
2009232508.tif 000013
【図１２】
2009232508.tif 000014